(57)【要約】【課題】ベース体とスライド体とのガタツキを抑制でき、かつ、スライド操作性に優れるスライド装置を提供すること。【解決手段】スライド装置のベース体１に、対をなし幅方向に離間する第１係合部１２ａ、１２ｂを設けるとともに、第１係合部１２ａ、１２ｂの間に第２係合部１３を設ける。また、スライド装置のスライド体２に、対をなし各第１係合部１２ａ、１２ｂとスライド可能に係合する第３係合部２０ａ、２０ｂと、第２係合部１３とスライド可能に係合する第４係合部２１と、を設ける。そして、第１係合部１２ａ、１２ｂと第３係合部２０ａ、２０ｂとの少なくとも一方と、第２係合部１３と第４係合部２１との少なくとも一方と、をスライド方向に延びるレール状にし、互いに係合している第１係合部１２ａ、１２ｂと第３係合部２０ａ、２０ｂとの重なり方向の隙間を幅方向の隙間よりも小さくし、第２係合部１３と第４係合部２１との幅方向の隙間を重なり方向の隙間よりも小さくする。【選択図】図４
2009280135.tif 000002
【特許請求の範囲】
【請求項１】
ベース体と、該ベース体に重ねられ該ベース体に対してスライド可能であるスライド体と、を持つスライド装置であって、
該ベース体は、対をなし該スライド体のスライド方向と直交する幅方向に離間している第１係合部と、該第１係合部同士の間に配置されている第２係合部と、を持ち、
該スライド体は、対をなし各該第１係合部に対面して各該第１係合部とスライド可能に係合する第３係合部と、該第２係合部に対面し該第２係合部とスライド可能に係合する第４係合部と、を持ち、
該第１係合部と該第３係合部との少なくとも一方と、該第２係合部と該第４係合部との少なくとも一方と、は、該スライド体のスライド方向に延びるレール状をなし、
互いに係合している該第１係合部と該第３係合部との重なり方向の隙間は、該幅方向の隙間よりも小さく、
該第２係合部と該第４係合部との該幅方向の隙間は、該重なり方向の隙間よりも小さいことを特徴とするスライド装置。
【請求項２】
前記第２係合部は、前記第１係合部同士の略中間に位置する請求項１に記載のスライド装置。
【請求項３】
前記第１係合部と前記第３係合部との少なくとも一方の表面は、他の部分よりも摩擦係数の小さい材料からなる摺動部で構成されている請求項１または請求項２に記載のスライ
【請求項４】
前記摺動部は、ＰＯＭ、ＰＡ、ＰＴＦＥから選ばれる少なくとも一種を含む材料からなる請求項３に記載のスライド装置。
【請求項５】
前記第２係合部と前記第４係合部との少なくとも一方の表面は、他の部分よりも摩擦係数の小さい材料からなる第２摺動部で構成されている請求項１〜請求項４の何れか一つに記載のスライド装置。
【請求項６】
前記第２摺動部は、ＰＯＭ、ＰＡ、ＰＴＦＥから選ばれる少なくとも一種を含む材料からなる請求項５に記載のスライド装置。
【発明の詳細な説明】
【技術分野】
【０００１】
本発明は、ベース体と、ベース体に重ねられベース体に対してスライド可能であるスライド体と、を持つスライド装置に関する。
【背景技術】
【０００２】
ベース体とスライド体とを持つスライド装置としては、従来から種々のものが知られている（例えば、特許文献１〜２参照）。
【０００３】
特許文献１に紹介されているスライド装置は、車両用のコンソールボックスに一体化されたものである。コンソールボックスは車両の室内に配置される部材であり、一般的には、収容空間を持つコンソールボックス本体と、収容空間を開閉するためのリッドとを持つ。特許文献１に紹介されているコンソールボックスにおいては、上述したベース体およびスライド体は、リッドの一部を構成している。詳しくは、ベース体はコンソールボックス本体に回動可能に取り付けられ、スライド体はベース体に対してスライド可能である。特許文献１に紹介されているコンソールボックスにおいては、ベース体を回動させることで収容空間を開くことができる。また、スライド体を車両前方に向けてスライドさせれば、スライド体をアームレストとして利用できる。
【０００４】
この種のスライド装置におけるスライド体のスライド機構としては、スライドレールと係合部とのスライド係合を用いるのが一般的である。詳しくは、ベース体とスライド体との一方に、スライド体のスライド方向に延びるスライドレールを設け、他方には、このスライドレールとスライド係合する係合部（例えば、スライドレールと相補的な形状をなす第２のスライドレールや、スライドレールの内部または外部にスライド係合するピン等）を設けている。
【０００５】
ところで、この種のスライド装置においては、スライドレールと係合部とによってベース体とスライド体とを相対的に位置決めし、スライド体とベース体とのガタつきを抑制するのが一般的である。具体的には、ベース体とスライド体との一方に、互いに平行に延びる一対のスライドレールを設け、他方には、それぞれのスライドレールに対応する一対のスライド係合部を設ける。そして、ベース体とスライド体との重なり方向におけるスライドレールと係合部との隙間をなくす（あるいは小さくする）ことで、ベース体とスライド体とを重なり方向に位置決めする。また、スライド体のスライド方向に直交する方向（幅方向）におけるスライドレールとスライド係合部との隙間をなくす（あるいは小さくする）ことで、ベース体とスライド体とを幅方向に位置決めする。
【０００６】
しかしこの場合には、スライドレール同士の間隔を、スライドレールの長さ方向にわたって均一にする必要がある。例えば、この間隔が小さいと、スライドレールとスライド係合部とが干渉し、スライド体をスライドさせる際の荷重（以下、スライド荷重と呼ぶ）が大きくなる場合がある。一方、スライドレール同士の間隔が大きいと、スライドレールとスライド係合部との隙間が過大になり、スライド荷重が非常に小さくなる。したがって、スライドレール同士の間隔が均一でないと、スライド荷重がスライド体の位置毎に変化して、スライド操作感が悪くなる。また、スライドレール同士の間隔が過大であると、ベース体とスライド体とを幅方向に精密に位置決めするのが困難になり、上述したガタつきを十分に抑制できない問題もある。
【０００７】
しかし、スライドレールは長尺の部材であるために、寸法精度高く成形するのは困難である。また、スライドレールを寸法精度高く成形したとしても、ベース部およびスライド部の成形誤差や変形による寸法バラツキによって、スライドレール同士の間隔が不均一になる可能性がある。したがって、スライドレール同士の間隔を均一にするのは非常に困難であり、ベース体とスライド体とのガタツキ抑制と、優れたスライド操作感とを両立させるのは非常に困難であった。
【特許文献１】特開２００５−２９９２４２号公報
【特許文献２】特開２００２−３３７６１４号公報
【発明の開示】
【発明が解決しようとする課題】
【０００８】
本発明は上記事情に鑑みてなされたものであり、ベース体とスライド体とのガタツキを抑制でき、かつ、スライド操作性に優れるスライド装置を提供することを目的とする。
【課題を解決するための手段】
【０００９】
上記課題を解決する本発明のスライド装置は、ベース体１と、ベース体１に重ねられベース体１に対してスライド可能であるスライド体２と、を持つスライド装置であって、ベース体１は、対をなしスライド体２のスライド方向と直交する幅方向に離間している第１係合部１２ａ、１２ｂと、第１係合部１２ａ、１２ｂ同士の間に配置されている第２係合部１３と、を持ち、スライド体２は、対をなし各第１係合部１２ａ、１２ｂに対面して各第１係合部１２ａ、１２ｂとスライド可能に係合する第３係合部２０ａ、２０ｂと、第２係合部１３に対面し第２係合部１３とスライド可能に係合する第４係合部２１と、を持ち、第１係合部１２ａ、１２ｂと第３係合部２０ａ、２０ｂとの少なくとも一方と、第２係合部１３と第４係合部２１との少なくとも一方と、は、スライド体２のスライド方向に延びるレール状をなし、互いに係合している第１係合部１２ａ、１２ｂと第３係合部２０ａ、２０ｂとの重なり方向の隙間は、幅方向の隙間よりも小さく、第２係合部１３と第４係合部２１との幅方向の隙間は、重なり方向の隙間よりも小さいことを特徴とする。
【００１０】
本発明のスライド装置は、下記の（１）〜（５）の何れかを備えるのが好ましく、（１）〜（５）の複数を備えるのがより好ましい。
【００１１】
（１）上記第２係合部１３は、上記第１係合部１２ａ、１２ｂ同士の略中間に位置する。
【００１２】
（２）上記第１係合部１２ａ、１２ｂと上記第３係合部２０ａ、２０ｂとの少なくとも一方の表面は、他の部分よりも摩擦係数の小さい材料からなる摺動部１２０で構成されている。
【００１３】
（３）上記摺動部１２０は、ＰＯＭ、ＰＡ、ＰＴＦＥから選ばれる少なくとも一種を含む材料からなる。
【００１４】
（４）上記第２係合部１３と上記第４係合部２１との少なくとも一方の表面は、他の部分よりも摩擦係数の小さい材料からなる第２摺動部１３０で構成されている。
【００１５】
（５）上記第２摺動部１３０は、ＰＯＭ、ＰＡ、ＰＴＦＥから選ばれる少なくとも一種を含む材料からなる。
【発明の効果】
【００１６】
本発明のスライド装置では、互いに係合している第１係合部と第３係合部との重なり方向の隙間を、幅方向の隙間よりも小さくすることで、ベース体とスライド体を重なり方向に位置決めしている。また、第２係合部と第４係合部の幅方向の隙間を重なり方向の隙間よりも小さくすることで、ベース体とスライド体とを幅方向に位置決めしている。換言すると、本発明のスライド装置では、ベース体とスライド体との重なり方向の位置決めに関与する部分（第１係合部、第３係合部）と、幅方向の位置決めに関与する部分（第２係合部、第４係合部）とを分けている。さらに換言すると、本発明のスライド装置における第１係合部と第３係合部とは、幅方向の位置決めに関与しない。このため、本発明のスライド装置では、第１係合部と第３係合部との幅方向の隙間を大きくでき、この幅方向の隙間によって、第１係合部および第３係合部の寸法バラツキを吸収できる。このため、対をなす第１係合部の間隔、および、対をなす第３係合部の間隔を精度高く均一にしなくても、第１係合部と第３係合部との干渉を抑制できる。このため本発明のスライド装置は、スライド操作性に優れる。
【００１７】
また、第１係合部および第３係合部によってベース体とスライド体とを重なり方向に位置決めし、第２係合部および第４係合部によってベース体とスライド体とを幅方向に位置決めするために、ベース体とスライド体とのガタツキを抑制できる。
【００１８】
よって、本発明のスライド装置によると、ベース体とスライド体とのガタツキ抑制と、優れたスライド操作感とを両立させることができる。
【００１９】
上記（１）を備える本発明のスライド装置によると、第２係合部によって、互いに係合する第１係合部と第３係合部との相対位置を精度高く位置決めでき、ベース体とスライド体とを幅方向に精度高く位置決めでき、ベース体とスライド体とのガタツキを信頼性高く抑制できる。
【００２０】
上記（２）を備える本発明のスライド装置では、第１係合部と第３係合部との少なくとも一方が低摩擦係数の摺動部によって他方にスライド係合することで、スライド体がより滑らかにスライドする。このため、上記（２）を備える本発明のスライド装置は、さらにスライド操作性に優れる。
【００２１】
上記（４）を備える本発明のスライド装置では、第２係合部と第４係合部との少なくとも一方が低摩擦係数の摺動部によって他方にスライド係合することで、スライド体がより滑らかにスライドする。このため、上記（４）を備える本発明のスライド装置は、さらにスライド操作性に優れる。
【００２２】
上記（３）または（５）を備える本発明のスライド装置は、さらにスライド操作性に優れる。ＰＯＭ、ＰＡ、ＰＴＦＥの摩擦係数は十分に小さいため、これらを摺動部の材料または第２摺動部の材料として用いることで、スライド装置のスライド操作性をさらに向上させ得るためである。
【発明を実施するための最良の形態】
【００２３】
以下、本発明のスライド装置を例を挙げて説明する。
【００２４】
（実施例）
実施例のスライド装置は、車両に搭載されるコンソールボックスのリッドである。実施例のスライド装置は、上記（１）〜（５）を備える。実施例のスライド装置におけるベース体を模式的に表す分解斜視図を図１に示す。実施例のスライド装置におけるスライド体を模式的に表す斜視図を図２に示す。実施例のスライド装置を幅方向に切断した様子を模式的に表す断面図を図３に示す。図３の要部拡大図を図４に示す。実施例のスライド装置の動作を模式的に表す説明図を図５〜図６に示す。
【００２５】
実施例のスライド装置は、ベース体１とスライド体２とを持つ。図１に示すように、ベース体１は、略板状をなすベース主部１０と、ベース主部１０の後端部に形成されている脚状の回転軸部１１とを持つ。図５に示すように、回転軸部１１はコンソールボックス本体７に枢支される。したがってベース体１は、コンソールボックス本体７に対して、コンソールボックス本体７の収容空間７０を閉じる閉位置（図５中実線で示す）と、収容空間７０を開く開位置（図５２点鎖線で示す）との間を回動する。
【００２６】
ベース主部１０は、２対の第１係合部１２と、２つの第２係合部１３とを持つ。各第１係合部１２および各第２係合部１３は、それぞれピン状をなす。
【００２７】
各第１係合部１２は、ベース主部１０のなかで互いに対向する２側面（左側面１５および右側面１６）に、それぞれ、２つずつ形成されている。ベース主部１０の左側面１５に形成されている２つの第１係合部１２は、前後方向に離間し、左方向に突起する。ベース主部１０の右側面１６に形成されている２つの第１係合部１２は、前後方向に離間し、右方向に突起する。対をなす第１係合部１２同士は、互いに対向している。
【００２８】
２つの第２係合部１３は、ベース主部１０の頂面１７に形成されている。この２つの第２係合部１３は、前後方向に離間し、上方向に突起する。第２係合部１３は、第１係合部１２同士の略中間に配置されている。
【００２９】
各第１係合部１２の表面は、摺動部１２０で構成されている。
詳しくは、第１係合部１２は、ベース主部１０に一体成形されている第１係合基部１２１と、第１係合基部１２１を覆う摺動部１２０とを持つ。
【００３０】
摺動部１２０は、ＰＯＭ（ポリアセタール）製であり、略リング状をなす摺動本体部１２４と、摺動本体部１２４から延びる２つの摺動脚部１２５とを持つ。摺動本体部１２４は第１係合部１２の突出端部を覆い、摺動脚部１２５はベース主部１０側に延びている。第１係合基部１２１と摺動部１２０との間には、第１付勢手段１２３が介在している。第１付勢手段１２３は、金属製のコイルバネからなる。第１付勢手段１２３の一端部は摺動脚部１２５に固定され、第１付勢手段１２３の他端部は第１係合部１２の基部に固定されている。そして、第１付勢手段１２３は、摺動部１２０をベース主部１０側に付勢している。
【００３１】
第２係合部１３の表面は第２摺動部１３０で構成されている。詳しくは、第２係合部１３は、ベース主部１０に一体成形されている第２係合基部１３１と、第２係合基部１３１を覆う第２摺動部１３０とを持つ。第２摺動部１３０は、ミネラル強化ＰＡ６（ミネラル強化６ナイロン）製であり、摺動部１２０と略同形状をなす。第２係合基部１３１と第２摺動部１３０との間には、第２付勢手段１３３が介在している。第２付勢手段１３３は、第１付勢手段１２３と同様に、金属製のコイルバネからなり、第２摺動部１３０をベース主部１０側に付勢している。
【００３２】
第１係合部１２のなかで、摺動部１２０以外の部分（すなわち第１係合基部１２１）は、ガラス繊維強化ＰＡ６（ガラス繊維強化６ナイロン）を材料としてなる。また、第２係合部１３のなかで、第２摺動部１３０以外の部分（すなわち第２係合基部１３１）もまた、ガラス繊維強化ＰＡ６を材料としてなる。
【００３３】
図２に示すように、スライド体２は、頂壁２５、左側壁２６、右側壁２７および後側壁２８を持つ略箱状をなす。また、スライド体２は、一対の第３係合部２０と一つの第４係合部２１とを持つ。頂壁２５はベース主部１０の頂面１７に対面する。左側壁２６は頂壁２５の左端部に連続し下方に延びる。右側壁２７は頂壁２５の右端部に連続し下方に延びる。後側壁２８は頂壁２５の後端部に連続し下方に延びる。
【００３４】
各第３係合部２０は、レール状をなし、左側壁２６の内面（右面）および右側壁２７の内面（左面）にそれぞれ形成されている。各第３係合部２０は、それぞれ前後方向に延び、互いに対向している。また、左側壁２６に形成されている第３係合部２０は右方に開口し、右側壁２７に形成されている第３係合部２０は左方に開口している。
【００３５】
第４係合部２１は、レール状をなし、頂壁２５の内面（下面）に形成されている。第４係合部２１は前後方向に延び、２つの第３係合部２０の略中間に配置されている。また、第４係合部２１は下方に開口している。
【００３６】
図３に示すように、スライド体２はベース体１の上側に重ねられている。したがって、スライド体２の頂壁２５はベース主部１０の頂面１７に対向している。また、スライド体２の左側壁２６はベース主部１０の左側面１５に対面し、スライド体２の右側壁２７はベース主部１０の右側面１６に対面している。そして、ベース主部１０の右側面１６に形成されている第１係合部１２（１２ａ）はスライド体２の右側壁２７に形成されている第３係合部２０（２０ａ）に挿入されて係合し、第３係合部２０ａ内をスライドする。また、ベース主部１０の左側面１５に形成されている第１係合部１２（１２ｂ）はスライド体２の左側壁２６に形成されている第３係合部２０（２０ｂ）に挿入され、第３係合部２０ｂ内をスライドする。また第２係合部１３は、第４係合部２１に挿入され、第４係合部２１内をスライドする。したがってスライド体２は、ベース主部１０の上側に重なり、ベース体１に対して前後方向にスライドする（図６）。ベース体１の前方にスライドしたスライド体２は、コンソールボックス本体７の前方に展開される。したがって、このときスライド体２は、アームレストとして利用可能になる。
【００３７】
また、図４に示すように、第１係合部１２ａと第３係合部２０ａとの重なり方向の隙間Ｈ１およびＨ２は、幅方向の隙間Ｗ１およびＷ２よりも小さい。また、第１係合部１２ｂと第３係合部２０ｂとの重なり方向の隙間Ｈ３およびＨ４は、幅方向の隙間Ｗ３およびＷ４よりも小さい。このため、第１係合部１２、第３係合部２０および摺動部１２０は、ベース体１とスライド体２とを重なり方向に位置決めできる。よって、実施例のスライド装置は、ベース体１とスライド体２とのガタツキを抑制できる。
【００３８】
さらに、第１係合部１２ａと第３係合部２０ａとの幅方向の隙間Ｗ１およびＷ２は重なり方向の隙間Ｈ１およびＨ２よりも大きく、第１係合部１２ｂと第３係合部２０ｂとの幅方向の隙間Ｗ３およびＷ４は重なり方向の隙間Ｈ３およびＨ４はよりも大きい。このため、第１係合部１２、第３係合部２０および摺動部１２０は、ベース体１とスライド体２とを重なり方向に位置決めするが、幅方向には位置決めしない。このため、第１係合部１２および第３係合部２０は幅方向に干渉し難く、摺動部１２０および第３係合部２０もまた幅方向に干渉し難い。このため実施例のスライド装置によると、第３係合部２０をレール状に形成し、かつ、対をなす第３係合部２０ａ、２０ｂの間隔が均一でなくても、スライド荷重を低減できる。
【００３９】
また、対をなす第３係合部２０ａ、２０ｂは互いに幅方向に離間し、重なり方向にはほぼ同位置に配置されている。したがって、対をなす第３係合部２０ａ、２０ｂは互いに独立してベース体１とスライド体２とを重なり方向に位置決めする。対をなす第１係合部１２ａ、１２ｂに関しても同様である。このため、対をなす第３係合部２０ａ、２０ｂの一方（または対をなす第１係合部１２ａ、１２ｂの一方）が重なり方向に位置ズレしても、他方に与える影響は少ない。このことによっても、実施例のスライド装置は、スライド荷重を低減できるとともに、ベース体１とスライド体２とを重なり方向に精度高く位置決めできる。
【００４０】
さらに、第２係合部１３と第４係合部２１との幅方向の隙間Ｗ５およびＷ６は、重なり方向の隙間Ｈ５およびＨ６よりも小さい。このため、第２係合部１３、第４係合部２１および第２摺動部１３０はベース体１とスライド体２とを幅方向に位置決めするが、重なり方向には位置決めしない。このため第２係合部１３および第４係合部２１は重なり方向に干渉し難い。このことによっても、実施例のスライド装置はスライド荷重を低減できる。
【００４１】
さらに、第１係合基部１２１と第３係合部２０との間には摺動部１２０が介在しているため、第１係合部１２と第３係合部２０とは重なり方向に滑らかに摺接する。また、第２係合基部１３１と第４係合部２１との間には第２摺動部１３０が介在している。このため、第２係合部１３と第４係合部２１とは幅方向に滑らかに摺接する。このことによっても、実施例のスライド装置はスライド荷重を低減できる。
【００４２】
よって、実施例のスライド装置は、ベース体１とスライド体２とのガタツキを抑制でき、かつ、スライド操作性に優れる。
【００４３】
また、実施例のスライド装置では、第１係合部１２をベース主部１０の側面に配置するとともに第３係合部２０をスライド体２の側面に配置したことで、対をなす第１係合部１２ａ、１２ｂの間隔、および、対をなす第３係合部２０ａ、２０ｂの間隔を大きくできる。したがってスライド体２がベース体１に対して安定してスライドするため、スライド装置のスライド操作性が向上する。
【００４４】
また、対をなす第１係合部１２ａ、１２ｂの略中間に第２係合部１３を配置したことで、第２係合部１３と第１係合部１２ａとの距離、および、第２係合部１３と第１係合部１２ｂとの距離が過大になるのを抑制できる。このため、第２係合部１３によって、第１係合部１２ａと第３係合部２０ａとの相対位置、および、第１係合部１２ｂと第３係合部２０ｂとの相対位置を精度高く位置決めでき、ベース体１とスライド体２とを幅方向に精度高く位置決めできる。
【００４５】
なお、実施例のスライド装置では、第１係合部１２ａ、１２ｂをベース主部１０の側面１５、１６に配置するとともに第３係合部２０ａ、２０ｂをスライド体２の側壁２６、２７に配置したが、第１係合部１２ａ、１２ｂをベース主部１０の頂面１７に配置するとともに第３係合部２０ａ、２０ｂをスライド体２の頂壁２５に配置しても良い。この場合には、第１係合部１２ａ、１２ｂをベース主部１０の側面１５、１６に配置するとともに第３係合部２０ａ、２０ｂをスライド体２の側壁２６、２７に配置する場合に比べて、第１係合部１２ａ、１２ｂの間隔、および、第３係合部２０ａ、２０ｂの間隔が小さくなる。しかし、この場合にも実施例のスライド装置と同様に、第１係合部１２および第３係合部２０によってベース体１とスライド体２とを重なり方向に位置決めし、第２係合部１３および第４係合部２１によってベース体１とスライド体２とを幅方向に位置決めすることで、ベース体１とスライド体２とのガタツキを抑制でき、かつ、スライド装置のスライド操作性を向上させ得る。
【００４６】
また、実施例のスライド装置は、第２係合部１３および第４係合部２１をそれぞれ１つずつ持つが、本発明のスライド装置における第２係合部１３および第４係合部２１はそれぞれ複数であっても良い。この場合には、複数の第２係合部１３同士を幅方向に近接させるとともに複数の第４係合部２１同士を幅方向に近接させれば、複数の第２係合部１３同士の間隔バラツキおよび複数の第４係合部２１同士の間隔バラツキを小さくできるために、スライド装置のスライド操作性を向上させ得る。
【００４７】
実施例のスライド装置においては、摺動部１２０および第２摺動部１３０の材料としてＰＯＭを用いたが、本発明のスライド装置における摺動部１２０および第２摺動部１３０の材料としては、ＰＡ（ポリアミド）、ＰＴＦＥ（ポリテトラフルオロエチレン）等の材料を好ましく使用できる。これらの材料は自己潤滑性、耐摩耗性等の摩擦特性に優れるためである。なお、摺動部１２０および第２摺動部１３０の材料としては、ＰＯＭ等の樹脂材料に潤滑剤等を配合したものを用いても良い。この場合には、摺動部１２０および第２摺動部１３０の自己潤滑性が向上するために、スライド装置のスライド操作性がさらに向上する。
【００４８】
また、実施例のスライド装置におけるスライド体２は、アームレストとしての機能を持つが、本発明のスライド装置におけるスライド体２にはその他の機能を付与することもできる。例えば、コンソールボックス本体７の収容空間７０に連通する開口をベース体１に形成し、スライド体２がスライドすることでこの開口を開閉するようにすれば、ベース体１が収容空間７０を閉じている時にもスライド体２によって収容空間７０を開閉できる。
【００４９】
実施例のスライド装置におけるスライド体２は、ベース体１の上方に重ねられているが、本発明のスライド装置におけるスライド体２は、ベース体１の側方に重ねられても良い。また、ベース体１の一部または全体をスライド体２よりも上方に配置しても良い。
【００５０】
ところで、図５に示すように、実施例のスライド装置におけるベース体１はコンソールボックス本体７に対して回動する。したがって、実施例のスライド装置におけるベース体１は、ヒンジとしての機能を持つ。ヒンジには大きな荷重が作用するため、ベース体１の材料としては、剛性に優れた材料を選択する必要がある。しかし、ＰＯＭ等に代表される低摩擦係数材料の剛性は比較的小さい。また、これらの低摩擦係数材料は成形後の収縮量が大きいために、寸法安定性に劣る問題もある。このため、ベース体１にヒンジとしての機能を付与する場合には、ベース体１全体を低摩擦係数材料で構成できない。本発明のスライド装置によると、摺動部１２０のみを低摩擦係数材料で構成することで、ベース体１にヒンジとしての機能と、優れた剛性および優れた寸法精度を付与できる。なお、ベース体１にヒンジとしての機能を付与する場合には、ベース体１における摺動部１２０以外の部分の材料は、ガラス繊維強化ＰＡ６等の高剛性材料を選択するのが好ましい。なお、本発明のスライド装置におけるベース体１は、ヒンジとしての機能を持たなくても良い。この場合にも、ベース体１全体またはスライド体２全体を低摩擦係数材料で構成するのではなく、摺動部１２０のみを低摩擦係数材料で構成することで、ベース体１およびスライド体２に優れた剛性および寸法精度を付与できる。
【図面の簡単な説明】
【００５１】
【図１】実施例のスライド装置におけるベース体を模式的に表す分解斜視図である。
【図２】実施例のスライド装置におけるスライド体を模式的に表す斜視図である。
【図３】実施例のスライド装置を幅方向に切断した様子を模式的に表す断面図である。
【図４】図３の要部拡大図である。
【図５】実施例のスライド装置の動作を模式的に表す説明図である。
【図６】実施例のスライド装置の動作を模式的に表す説明図である。
【符号の説明】
【００５２】
１：ベース体          ２：スライド体      １２、１２ａ、１２ｂ：第１係合部
１３：第２係合部      １２０：摺動部      １３０：第２摺動部
２０、２０ａ、２０ｂ：第３係合部          ２１：第４係合部
【図１】
2009280135.tif 000003
【図２】
2009280135.tif 000004
【図３】
2009280135.tif 000005
【図４】
2009280135.tif 000006
【図５】
2009280135.tif 000007
【図６】
2009280135.tif 000008